(57)【要約】
【課題】比較的簡単に乗りこなすことができ、しかも転倒のおそれなく何人も安全に遊戯できる乗り物玩具を提供する。
【解決手段】プラスチックにより一体に成形されるボデー１の後部に腰掛部２を設け、該ボデーの前部両側に足掛部３，３を形成し、該ボデーの後部両側に後輪５，５を回転自在に設け、該ボデーの前部中心に軸受部８を形成してハンドル軸９を水平面内で３６０度回転自在なるように鉛直に支持し、該ハンドル軸の上端にハンドルグリップ１０を固着し、ハンドル軸の下端部に半径方向に延出する支持部材１２を介して一対の前輪１４，１４を夫々回転自在に軸支し、該ハンドル軸を回転させたときの前輪の移動範囲の外縁を被い得るようにボデーの前部をドーム形状に形成し、該ボデーの前部の両側縁に地表面近くまで垂下し転倒を防止する延脚部１６，１６または自在輪１８，１８を設ける。
【選択図】図１
0003099392.tif 000002
【実用新案登録請求の範囲】
【請求項１】
　プラスチックにより一体に成形されるボデーの後部に腰掛部を設け、該ボデーの前部両側に足掛部を形成し、該ボデーの後部両側に後輪を回転自在に設け、該ボデーの前部中心に軸受部を形成してハンドル軸を水平面内で３６０度回転自在なるように鉛直に支持し、該ハンドル軸の上端にハンドルグリップを固着し、ハンドル軸の下端部に半径方向に延出する支持部材を介して一対の前輪を夫々回転自在に軸支し、該ハンドル軸を回転させたときの前輪の移動範囲の外縁を被い得るようにボデーの前部をドーム形状に形成し、該ボデーの前部の両側縁に地表面近くまで垂下し転倒を防止する延脚部を一体に形成したことを特徴とする乗り物玩具。
【請求項２】
　プラスチックにより一体に成形されるボデーの後部に腰掛部を設け、該ボデーの前部両側に足掛部を形成し、該ボデーの後部両側に後輪を回転自在に設け、該ボデーの前部中心に軸受部を形成してハンドル軸を水平面内で３６０度回転自在なるように鉛直に支持し、該ハンドル軸の上端にハンドルグリップを固着し、ハンドル軸の下端部に半径方向に延出する支持部材を介して一対の前輪を夫々回転自在に軸支し、該ハンドル軸を回転させたときの前輪の移動範囲の外縁を被い得るようにボデーの前部をドーム形状に形成し、該ボデーの前部の両側縁に地表面近くまで垂下し転倒を防止する自在輪を設けてなることを特徴とする乗り物玩具。
【考案の詳細な説明】
【技術分野】
【０００１】
　本考案はハンドルを左右に振って前輪を揺動させることにより前進動または後退動する乗り物玩具に関するものである。
【背景技術】
【０００２】
　下記特許文献１により開示された乗り物玩具は、自転車形に形成されたフレームの前部にハンドル軸を前後方向に枢動可能に軸着し、該ハンドル軸にコイルスプリングを介装して前輪を回転可能に設け、フレームの後部にはコイルスプリングを介装して後輪を回転可能に設け、乗る者が体重を前後させ上記コイルスプリングを交互に伸縮させることにより、乗馬感覚で走行できるように構成されたものである。
【特許文献１】特開平７−２７５４００号公報
【考案の開示】
【考案が解決しようとする課題】
【０００３】
　ところで、上記乗り物玩具を乗りこなすためには相応のバランス感覚と練習を必要とするので、幼児を含む幅広い年齢層に適するものではなかった。そこで、本考案は、比較的簡単に乗りこなすことができ、しかも転倒のおそれなく何人も安全に遊戯できる乗り物玩具を提供しようとするものである。
【課題を解決するための手段】
【０００４】
　そのために本考案の乗り物玩具は、プラスチックにより一体に成形されるボデーの後部に腰掛部を設け、該ボデーの前部両側に足掛部を形成し、該ボデーの後部両側に後輪を回転自在に設け、該ボデーの前部中心に軸受部を形成してハンドル軸を水平面内で３６０度回転自在なるように鉛直に支持し、該ハンドル軸の上端にハンドルグリップを固着し、ハンドル軸の下端部に半径方向に延出する支持部材を介して一対の前輪を夫々回転自在に軸支し、該ハンドル軸を回転させたときの前輪の移動範囲の外縁を被い得るようにボデーの前部をドーム形状に形成し、該ボデーの前部の両側縁に地表面近くまで垂下し転倒を防止する自在輪を設けてなることを特徴とする。
【０００５】
　また、本考案の乗り物玩具は、プラスチックにより一体に成形されるボデーの後部に腰掛部を設け、該ボデーの前部両側に足掛部を形成し、該ボデーの後部両側に後輪を回転自在に設け、該ボデーの前部中心に軸受部を形成してハンドル軸を水平面内で３６０度回転自在なるように鉛直に支持し、該ハンドル軸の上端にハンドルグリップを固着し、ハンドル軸の下端部に半径方向に延出する支持部材を介して一対の前輪を夫々回転自在に軸支し、該ハンドル軸を回転させたときの前輪の移動範囲の外縁を被い得るようにボデーの前部をドーム形状に形成し、該ボデーの前部の両側縁に地表面近くまで垂下し転倒を防止する自在輪を設けてなることを特徴とする。
【考案の効果】
【０００６】
　ハンドル軸を反復回転させ前輪を左右に揺動させることにより、乗り物玩具を比較的簡単に前進動または後退動させることができる。そしてボデー前部の両側縁に延脚部または自在輪を設けることにより、前輪を横向けたときの転倒が防止され、大人から幼児まで安全に遊戯できる。
【実施例１】
【０００７】
　図１は請求項１に記載の考案に係る乗り物玩具の実施例を示す外観斜視図、図２はその正面図、図３は縦断面図、図４は下面図である。この乗り物玩具のボデー１は、子供、或いは大人が跨いで腰掛けられる程度の大きさでプラスチックにより平面まゆ形なるように一体に成形されたもので、２はその後部に形成された腰掛部、３，３は前足を乗せるためにドーム形状に形成された前部両側に形成した足掛部である。また、ボデー１内の後部両側に車輪室４，４が一体に形成され、該各車輪室内に後輪５，５が車軸６，６によって夫々回転自在に設けられる。なお、７はボデー１の内面に一体に形成された補強リブである。
【０００８】
　また、ボデー１の前部中心に軸受部８を形成し、ハンドル軸９を該軸受部により水平面内で３６０度回転自在なるように鉛直に支持する。１０は該ハンドル軸の上端に固着されたハンドルグリップである。そして、ハンドル軸９の下端部にロックナット１１を締着することにより該ハンドル軸の半径方向（水平方向）に延出する支持部材１２を固着し、該支持部材の先端部に車軸１３，１３を設けることにより一対の前輪１４，１４を夫々回転自在に軸支する。これによって該前輪１４，１４の車軸１３，１３がハンドル軸９の軸心から距離Ｌだけ離間状なるように設けられる。
【０００９】
　そして、図４にハンドル軸９を３６０度回転させたときの前輪１４，１４の軌跡を２点鎖線により描いたように、該前輪の移動範囲の外縁を被い得るようにボデー１の前部をドーム形状に形成し、該ボデー１の前縁および前縁寄り両側縁に地表面近くまで垂下し地表面から１３ｍｍ程度の隙間ｇが生じるように延脚部１５，１６，１６を一体に形成する。
【００１０】
　このように構成した乗り物玩具では、腰掛部２に腰を降ろして両足を足掛部３，３に乗せることで両足を地表面から離した体勢とし、ハンドルグリップ１０を握ってハンドル軸９を反復回転させ前輪１４，１４を図４に２点差線で示したように適宜角度ａにて左右に揺動させることにより、その揺動運動が推力となって該乗り物玩具は左右に揺れながらも着実に前進動する。また、ハンドル軸９を１８０度回転することで前輪１４，１４をハンドル軸９の前方に位置させ、その状態でハンドル軸９を同じく適宜角度にて反復回転させれば、該乗り物玩具は後退動することとなる。
【００１１】
　また、前輪１４，１４を真横に向けたとき、該前輪１４，１４はハンドル軸９の軸心から距離Ｌだけ離間していることから左右のバランスが崩れ、ボデー１が側方に傾くおそれがあるが、前記延脚部１６，１６が形成されていることから該延脚部が接地することにより転倒が防止され、安全に遊戯することができる。
【実施例２】
【００１２】
　一方、図５，図６は請求項２に記載の考案に係る乗り物玩具の実施例を示す正面図および下面図である。この実施例では、実施例１の延脚部１６，１６に代えて、ボデー１の前部の両側縁に地表面近くまで垂下する自在輪（キャスター）１８，１８を設けてなる。このように自在輪１８，１８を設けることによって、ボデー１が側方に傾いたとき該自在輪が接地し転倒が防止され、安全に遊戯することができる。
【図面の簡単な説明】
【００１３】
【図１】本考案に係る乗り物玩具の実施例を示す外観斜視図。
【図２】図１の乗り物玩具の正面図。
【図３】図１の乗り物玩具の縦断面図。
【図４】図１の乗り物玩具の下面図。
【図５】本考案に係る乗り物玩具の他の実施例を示す正面図。
【図６】図５の乗り物玩具の下面図。
【符号の説明】
【００１４】
　１　　ボデー
　２　　腰掛部
　３　　足掛部
　５　　後輪
　８　　軸受部
　９　　ハンドル軸
　１０　ハンドルグリップ
　１２　支持部材
　１３　車軸
　１４　前輪
　１６　延脚部
　１８　自在輪
【図１】
0003099392.tif 000003
【図２】
0003099392.tif 000004
【図３】
0003099392.tif 000005
【図４】
0003099392.tif 000006
【図５】
0003099392.tif 000007
【図６】
0003099392.tif 000008